(57)【要約】【課題】光ピックアップの位置精度を向上する。【解決手段】ガイド軸であるリードスクリュー２０は、光ピックアップ１８をガイドする。リードスクリュー２０は、交差方向押圧手段であるコイルばね３４により、リードスクリュー２０の軸方向に対して交差する軸交差方向へと押圧される（矢印Ｙ）。さらに、コイルばね３４による押圧に対抗してリードスクリュー２０を支持するために、互いに角度をなす複数の支持面であるテーパ面５２、５４が設けられている。コイルばね３４に押圧され、テーパ面５２、５４に支持されて、リードスクリュー２０が位置決めされる。また、コイルばね３４は、その伸縮方向の弾性力でもってリードスクリュー２０を軸方向に押圧すると共に、内周面でリードスクリュー２０を軸交差方向に押圧している。【選択図】　図１
2004145990.tif 000002
【特許請求の範囲】
【請求項１】
光ピックアップと、
前記光ピックアップをガイドするガイド軸と、
前記ガイド軸を、軸方向に対して交差する軸交差方向へ押圧する交差方向押圧手段と、
を含むことを特徴とするディスク装置。
【請求項２】
前記交差方向押圧手段による押圧に対抗して前記ガイド軸を支持する支持手段を含み、前記支持手段は、互いに角度を成す複数の支持面を有することを特徴とする請求項１に記載のディスク装置。
【請求項３】
前記交差方向押圧手段は弾性部材を含み、前記弾性部材は、前記ガイド軸を前記軸交差方向に押圧するとともに、前記軸方向にも押圧するように設けられていることを特徴とする請求項１または２に記載のディスク装置。
【請求項４】
前記弾性部材はコイルばねであり、前記コイルばねに前記ガイド軸が挿入されており、前記コイルばねは、伸縮方向の弾性力で前記ガイド軸を前記軸方向に押圧すると共に、内周面で前記ガイド軸を前記軸交差方向に押圧するように設けられていることを特徴とする請求項３に記載のディスク装置。
【請求項５】
前記ガイド軸の端部に被せられ、つば部を有するキャップを含み、前記コイルばねが前記キャップの前記つば部を前記軸方向に押圧するように前記つば部に係合し、かつ、前記コイルばねの内周面が前記キャップの外周面に当接していることを特徴とする請求項４に記載のディスク装置。
【発明の詳細な説明】
【０００１】
【発明の属する技術分野】
本発明は、ディスク装置に関し、特に、光ピックアップの位置精度の向上に関する。
【０００２】
【従来の技術】
ディスク装置は、周知のように、例えば光ディスクを再生する装置である（例えば特許文献１参照）。ディスク装置の一つとして、ディスクチェンジャ装置が挙げられる。ディスクチェンジャ装置は、複数枚のディスクから選択されたディスクを再生する。ディスクチェンジャ装置はその設置個所の多様化から小型化を必要とされており、小型化を図るための装置が開発されている。
【０００３】
図６は従来のディスクチェンジャ装置のディスク演奏部の概略平面図である。ディスク演奏部６０は光デッキシャーシ６２を有し、光デッキシャーシ６２にはターンテーブル６４が設置されている。ターンテーブル６４にはディスクが載せられる。ターンテーブル６４は、図示されない駆動手段によって駆動されて、ディスクを回転させる。
【０００４】
ディスク演奏部６０は、さらに、光ピックアップ６６、リードスクリュー６８、ブラケット７０、７２および板ばね７４を有し、これらは、光ピックアップ送り機構を構成している。この機構は、光デッキシャーシ６２の下側に配置されており、したがって、図６では本来は光デッキシャーシ６２の後ろに隠れている。しかし、図６は、光ピックアップ送り機構の構成を分かりやすくするために、光ピックアップ機構を実線で示している。
【０００５】
図６に示されるように、光ピックアップ６６には、ガイド軸であるリードスクリュー６８が係合している。リードスクリュー６８は光ピックアップ６６の貫通穴を通り抜けており、光ピックアップ６６に設けられた部品がリードスクリュー６８と係合している。リードスクリュー６８は、その両端部にてブラケット７０、７２に保持され、これらブラケット７０、７２は光デッキシャーシ６２に固定されている。
【０００６】
リードスクリュー６８は光ピックアップ６６をガイドおよび駆動する。すなわち、リードスクリュー６８が図示しない駆動手段により回転されると、光ピックアップ６６が、リードスクリュー６８に沿って移動する。これにより、光ピックアップ６６は、ターンテーブル６４に対して接近および離反する方向に駆動される。以下、光ピックアップの移動方向をスラスト方向という。図６では、スラスト方向は、リードスクリュー６８の軸方向と一致している。
【０００７】
さらに、図６に示されるように、光デッキシャーシ６２には、板ばね７４が固定されている。板ばね７４の端部はリードスクリュー６８の先端をスラスト方向に付勢している。これにより、板ばね７４は、部品間の隙間によるリードスクリュー６８のスラスト方向の位置ずれ（ガタ）を防いでいる。
【０００８】
高性能のディスク装置を提供するためには、ディスクに対する光ピックアップの高い位置精度が求められる。スラスト方向、スラスト方向に垂直でシャーシ平面に沿った方向（以下、タンジェンシャル方向という）およびスラスト方向とタンジェンシャル方向に直交する方向（以下、フォーカス方向という）のいずれにおいても、光ピックアップの高い位置精度が求められる。タンジェンシャル方向およびフォーカス方向は、軸方向に交差する方向（軸交差方向）である。
【０００９】
そして、光ピックアップの高い位置精度を得るには、光ピックアップのガイド軸であるリードスクリューの位置精度を高くすることが有効である。この点に関し、スラスト方向については、従来から、図６に示されるように板ばねを使って隙間が吸収されており、高い位置精度が得られている。
【００１０】
【特許文献１】
特開２０００−１０５９３２号公報（第５−７頁、第１図）
【００１１】
【発明が解決しようとする課題】
しかしながら、従来のディスク装置では、タンジェンシャル方向およびフォーカス方向といった軸交差方向については、位置精度を高くする効果的な構成が設けられていなかった。
【００１２】
また、従来のディスク装置では、リードスクリュー６８の先端（ターンテーブル側）はブラケット７０の開口に保持されている。そして、リードスクリュー６８の断面形状とブラケット７０の開口の形状は共に円形である。リードスクリュー６８の後端においても、ブラケット７２の円形の開口にリードスクリュー６８が保持されている。このような構成では、リードスクリュー６８が円形の穴の内部で移動しやすく、そのために光ピックアップ６８の位置ずれが生じやすい。このことは、光ピックアップ６８の位置精度を低下させる要因になり得る。
【００１３】
本発明は上記背景の下でなされたものであり、その目的は、光ピックアップの位置精度を向上できるディスク装置を提供することにある。
【００１４】
【課題を解決するための手段】
本発明のディスク装置は、光ピックアップと、前記光ピックアップをガイドするガイド軸と、前記ガイド軸を、軸方向に対して交差する軸交差方向へ押圧する交差方向押圧手段とを含む。
【００１５】
この構成により、ガイド軸が軸交差方向へ押圧されて、軸交差方向の動きが制限されるので、軸交差方向の位置精度を向上できる。
【００１６】
また、本発明のディスク装置は、前記交差方向押圧手段による押圧に対抗して前記ガイド軸を支持する支持手段を含み、前記支持手段は、互いに角度を成す複数の支持面を有する。典型的には、支持手段は、「Ｖ」字を形成する２つの傾斜面で構成される。
【００１７】
この構成によれば、ガイド軸が軸交差方向に押圧されて、複数の支持面に支持されて、ガイド軸が位置決めされるので、軸交差方向の高い位置精度が得られる。
【００１８】
また、本発明のディスク装置において、前記交差方向押圧手段は弾性部材を含み、前記弾性部材は、前記ガイド軸を前記軸交差方向に押圧するとともに、前記軸方向にも押圧するように設けられている。
【００１９】
この構成により、弾性部材が軸方向と軸交差方向にガイド軸を押圧するので、少ない部材で複数方向の位置精度を向上できる。
【００２０】
また、本発明のディスク装置において、前記弾性部材はコイルばねであり、前記コイルばねに前記ガイド軸が挿入されており、前記コイルばねは、伸縮方向の弾性力で前記ガイド軸を前記軸方向に押圧すると共に、内周面で前記ガイド軸を前記軸交差方向に押圧するように設けられている。
【００２１】
この構成により、コイルばねの伸縮方向の弾性力を利用するだけでなく、コイルばねの内周面を軸交差方向の押圧に利用したので、コイルばねを効果的に使った簡素な構成でガイド軸を軸方向と軸交差方向に押圧できる。
【００２２】
また、本発明のディスク装置は、前記ガイド軸の端部に被せられ、つば部を有するキャップを含み、前記コイルばねが前記キャップの前記つば部を前記軸方向に押圧するように前記つば部に係合し、かつ、前記コイルばねの内周面が前記キャップの外周面に当接している。
【００２３】
この構成によれば、コイルばねがキャップを介してガイド軸を押圧するので、コイルばねとガイド軸が摺動せず、したがって摺動による摩耗を防ぐことができる。
【００２４】
【発明の実施の形態】
以下、本発明の実施の形態について、図面を参照して説明する。
【００２５】
本実施の形態では、本発明が、ディスク装置の一種であるディスクチェンジャ装置に適用される。
【００２６】
図１および図２は、本実施の形態の特徴的構成を示しており、図３〜図５は、図１および図２の構成が備えられるディスクチェンジャ装置のディスク演奏部を示している。以下、図３〜図５を参照してディスク演奏部の全体構成を説明し、それから、図１および図２について説明する。
【００２７】
図３は、ディスク演奏部１０の概略平面図であり、図４および図５は、それぞれ、図３のディスク演奏部１０を左側および上側から見た図である。
【００２８】
図３〜図５に示されるように、ディスク演奏部１０は、ベース部としての光デッキシャーシ１２を有し、光デッキシャーシ１２の上面にはターンテーブル１４が回転可能に設置されている。ターンテーブル１４にはディスクが定置される。ターンテーブル１４は、光デッキシャーシ１２に固定されたスピンドルモータ１６によって駆動されて、ディスクを回転させる。ターンテーブル１４とスピンドルモータ１６は光デッキシャーシ１２を挟むようにして設けられている。
【００２９】
光デッキシャーシ１２には、さらに、信号を記録および再生する光ピックアップ１８が設けられている。光ピックアップ１８は、光ピックアップ送り機構により、光デッキシャーシ１２に保持され、駆動される。
【００３０】
図６の従来装置と同様、本実施の形態のディスクチェンジャ装置においても、光ピックアップ１８とその送り機構は、光デッキシャーシ１２の下側に配置されている。したがって、図３の平面図では、本来は、光ピックアップ１８およびその送り機構は光デッキシャーシ１２の後ろに隠れている。しかし、図３は、光ピックアップ１８および送り機構の構成を分かりやすくするために、それらを実線で示している。
【００３１】
図３に示すように、光ピックアップ送り機構は、ガイド軸の一形態であるリードスクリュー２０を含み、リードスクリュー２０は光デッキシャーシ１２と平行に配置され、光ピックアップ１８と係合している。光ピックアップ１８の貫通穴をリードスクリュー２０が通り抜けている。図示されないが、光ピックアップ１８においては、貫通穴の一部が開放されている。すなわち、貫通穴を形成する筒状部が途中で部分的に削除されて、軸方向に沿って２つの部分に分かれており、この２つの筒部分の間で貫通穴が開放されている。そして、この開放部にて光ピックアップ２８に固定された係合部品（図示せず）がリードスクリュー２０に係合している。
【００３２】
リードスクリュー２０が図示しない駆動手段により駆動されると、リードスクリュー２０がその軸を中心として回転し、そして、光ピックアップ１８が、リードスクリュー２０に沿って移動する。これにより、光ピックアップ１８は、ターンテーブル１４に対して接近および離反する方向に駆動される。図３の想像線は、ターンテーブル１４から遠ざかったときの光ピックアップ１８の位置を示している。
【００３３】
ここで、図６の従来装置の説明と同様、本実施の形態のディスクチェンジャ装置においても、光ピックアップ１８の移動方向をスラスト方向という。さらに、スラスト方向に垂直でシャーシ平面に沿った方向を、タンジェンシャル方向といい、スラスト方向とタンジェンシャル方向に直交する方向を、フォーカス方向という。スラスト方向はリードスクリュー２０の軸方向と一致している。タンジェンシャル方向およびフォーカス方向は、軸方向と交差する方向であり、すなわち本発明の軸交差方向に含まれる。
【００３４】
リードスクリュー２０の後端部２２（ターンテーブル１４から遠い方の端部）は、樹脂製のブラケット２４に係合し、回転可能に保持されている。ブラケット２４は、光デッキシャーシ１２に固定されている。ブラケット２４には、図示されない駆動手段の回転力をリードスクリュー１２に伝えるギア機構が設けられている。
【００３５】
一方、リードスクリュー２０の先端部２６（ターンテーブル１４に近い方の端部）は、以下に説明する本実施の形態の特徴的な構成によって保持されている。
【００３６】
図２は、図４の部分的な拡大図であり、リードスクリュー２０の先端部２６の付近を示している。図示のように、リードスクリュー２０の先端部２６は、ブラケット３０、キャップ３２、および、弾性部材の一形態であるコイルばね３４によって保持されている。図２では、ブラケット３０およびキャップ３２は、リードスクリュー２０の中心を通る面で切断されている。また、図面を分かりやすくするために、コイルばね３４は細線で示されており、コイルばね３４の向こう側の構成も示されている。
【００３７】
図２に示されるように、ブラケット３０は、鉄製であり、「Ｌ」字形の断面形状を有する。ブラケット３０の固定板部３６は、「Ｌ」字の長い方の線に相当し、光デッキシャーシ１２に固定される。支持壁部３８は、固定板部３６と一体に設けられており、「Ｌ」字の短い方の線に相当する。すなわち、支持壁部３８は、固定壁部３６から垂直に折れ曲がった部分である。
【００３８】
支持壁部３８は、図２に示されるように、光デッキシャーシ１２から突出する壁面を構成している。支持壁部３８は、キャップ３２およびリードスクリュー２０に対応する位置に開口部４０を有しており、キャップ３２がリードスクリュー２０と共に開口部４０に嵌合されている。
【００３９】
キャップ３２は、樹脂製であり、リードスクリュー２０の先端部２６に被せられている。キャップ３２とリードスクリュー２０の隙間は非常に小さい。また、キャップ２０の内側の底部（図２では上の方）は円錐形状を有し、一方、リードスクリュー２０の先端は半球形状を有する。これらが当接することにより、リードスクリュー２０の先端はキャップ３２の底部の中央に位置している。
【００４０】
キャップ３２の口部分には、つば部４２が設けられている。つば部４２は、キャップ３２の口部分から半径方向に突出している。つば部４２は、キャップ３２の口部分の全周に設けられている。
【００４１】
コイルばね３４は、キャップ３２を取り囲むように設けられている。すなわち、キャップ３２はリードスクリュー２０と共にコイルばね３４に嵌められている。コイルばね３４は、ブラケット３０の支持壁部３８とキャップ３２のつば部４２の間に挟まれている。コイルばね３４の一端が支持壁部３８に当接し、コイルばね３４の他端はつば部４２に当接している。組立状態でコイルばね３４が自由長より短くなり、圧縮されるように、各部の寸法が設定されている。これにより、コイルばね３４は、つば部４２をスラスト方向（軸方向）に押圧する。
【００４２】
コイルばね３４は、その両端に足部４４、４６を有する。足部４４は、コイルばね３４の支持壁部３８側の端部に設けられている。また、足部４６は、コイルばね３４のつば部４２側の端部に設けられている。足部４４、４６は、それぞれ、支持壁部３８、つば部４２に沿って延び、ブラケット３０の固定板部３６に当接している。
【００４３】
図１は、図２を線Ｘ−Ｘで切断した断面図であり、上記の足部４４、４６を明示している。足部４４、４６は、コイルばね３４の線材を曲げることにより形成されている。コイルばね３４の線材は、螺旋状に巻かれた後、さらに延びており、この延長部分を使って足部４４、４６が形成されている。
【００４４】
図１において、線Ｌは、リードスクリュー２０の中心を通っており、かつ、光デッキシャーシ１２に対して垂直である。足部４４、４６の形状は、線Ｌに対して線対象である。足部４４、４６は、それぞれ、線材を「Ｕ」字形に折り曲げた形状を有し、線Ｌに対して斜めの方向を向いている。
【００４５】
足部４４、４６は、ブラケット３０の固定板部３６に当接している。また、コイルばね３４の内周面が、光デッキシャーシ１２に最も近い位置で、キャップ３２の外周面と接触している。そして、コイルばね３４の内周面は、キャップ３２をリードスクリュー２０と共に、フォーカス方向であって光デッキシャーシ１２から離れる方向（矢印Ｙ）に押圧している。
【００４６】
要するに、コイルばね３４は、その足部４４、４６の踏張りを利用して、内周面でキャップ３２を矢印Ｙの方向に押している。足部４４、４６は、押圧方向と反対方向に延びてコイルばね３４を支持するばね支持部として機能し、押圧力を生じさせている。キャップ３２は、足部４４、４６を構成する線材の弾性力によって付勢されている。上記の接触と押圧が得られるように、そして適当な大きさの押圧力が得られるように、各部の寸法形状、特に、足部４４、４６の長さが設定されている。
【００４７】
また、図１を参照すると、支持壁部３８の開口部４０は完全な円形ではなく、円弧部４８とテーパ部５０で構成される。円弧部４８は、図１の線Ｍの下側であり、すなわち、光デッキシャーシ１２に近い側の半部である。円弧部４８の形状は円弧（半円）である。
【００４８】
一方、テーパ部５０は、図１の線Ｍの上側であり、すなわち、光デッキシャーシ１２から遠い側の半部である。テーパ部５０は、２つのテーパ面５２、５４を有する。テーパ面５２、５４は、コイルばね３４の押圧方向（矢印Ｙ、線Ｌ）に対して傾斜しており、これにより略「Ｖ」字を形成している。この略「Ｖ」字形状においては、テーパ面５２およびテーパ面５４は円弧（図１で上方に示されており、円弧部４８より小さい半径の円弧）で接続されている。また、テーパ面５２およびテーパ面５４は、コイルばね３４の押圧方向に対して対象である。テーパ面５２、５４は、ガイド軸であるリードスクリュー２０を支持する支持面に相当する。
【００４９】
次に、本実施の形態のディスク演奏部１０の動作を説明する。チェンジャ機構を利用して複数枚のディスクの一つが選択される。選択されたディスクはターンテーブル１４へと載せられる。スピンドルモータ１６が駆動して、ターンテーブル１４と共にディスクを回転させる。
【００５０】
また、リードスクリュー２０が図示しない駆動手段により駆動されて回転し、これに伴い光ピックアップ１８がスラスト方向に移動する。すなわち、リードスクリュー２０により光ピックアップ１８がガイドおよび駆動される。そして、光ピックアップ１８を用いてディスクの記録・再生が行われる。
【００５１】
ディスクの記録・再生の性能向上のためには、光ピックアップ１８の高い位置精度が求められる。本実施の形態は、この要求に対して、以下のようにして応えている。
【００５２】
すなわち、本実施の形態では、コイルばね３４が、キャップ３２のつば部４２に係合し、つば部４２をスラスト方向に押圧している。これにより、コイルばね３４は、キャップ３２を介してリードスクリュー２０をスラスト方向、すなわち、軸方向に押圧している。伸縮方向の弾性力により、リードスクリュー２０が軸方向に付勢されている。このようにして、部品間の隙間による軸方向の位置ずれが防止されている。
【００５３】
さらに、コイルばね３４の内周面が、キャップ３２の外周面をフォーカス方向に押圧している。これにより、コイルばね３４は、キャップ３２を介してリードスクリュー２０をフォーカス方向、すなわち軸交差方向に押圧している。軸交差方向の弾性力によってリードスクリュー２０が付勢されている。
【００５４】
さらに、図１に示されるように、コイルばね３４による軸交差方向の押圧に対抗して、ブラケット３０の支持壁部３８がリードスクリュー２０およびキャップ３２を支持している。支持壁部３８の開口部４０にはテーパ面５２、５４が設けられており、テーパ面５２、５４が支持面として機能して、キャップ３２に当接し、キャップ３２を介してリードスクリュー２０を支持している。
【００５５】
これにより、リードスクリュー２０は、テーパ面５２、５４の両方に支持される位置にて位置決めされる。この位置決めにより、部品間の隙間による軸交差方向の位置ずれも防止される。タンジェンシャル方向およびフォーカス方向を含む全方向の位置ずれが防止されている。
【００５６】
この点に関し、従来装置では、リードスクリューが円形断面を有し、かつ、円形開口に保持されていたので、リードスクリューは不安定であり、振動等の外乱によって移動しやすく、そのために光ピックアップの位置ずれが生じやすい傾向があった。これに対し、本実施の形態では、テーパ面５２、５４によりリードスクリュー２０が位置決めされ、安定する。これにより、光ピックアップの位置ずれが生じ難くなっている。
【００５７】
また、光ピックアップ１８を移動させるときは、上述のようにリードスクリュー２０は回転される。このとき、コイルばね３４は回転しない。仮にコイルばね３４がリードスクリュー２０に直接接触していると、両者の摺動による摩耗が生じ得る。しかし、本実施の形態では、樹脂製のキャップ３２が、コイルばね３４とリードスクリュー２０の間に介在している。したがって、コイルばね３４とリードスクリュー２０の摺動による摩耗が回避される。
【００５８】
以上のように、本発明の実施の形態のディスク装置は、光ピックアップをガイドするガイド軸を軸交差方向へ押圧する構成を設けているので、ガイド軸の軸交差方向の動きが制限され、したがって軸交差方向の位置精度を向上できる。
【００５９】
さらに、本実施の形態のディスク装置は、交差方向押圧手段による押圧に対抗してガイド軸を支持する支持手段を設けており、支持手段が互いに角度を成す複数の支持面（上記の実施の形態ではテーパ面）を有するので、これら支持面に支持される位置でガイド軸が位置決めされ、したがって、軸交差方向の高い位置精度が得られる。
【００６０】
また、本実施の形態のディスク装置は、弾性部材に、ガイド軸を軸交差方向と軸方向に押圧させているので、少ない部材で複数方向の位置精度を向上できる。
【００６１】
また、本実施の形態のディスク装置では、弾性部材がコイルばねである。本実施の形態では、コイルばねが伸縮方向の弾性力でガイド軸を軸方向に押圧するだけでなく、内周面でガイド軸を軸交差方向に押圧しており、コイルばねを効果的に利用して軸方向と軸交差方向の押圧を実現している。
【００６２】
また、本実施の形態のディスク装置は、ガイド軸であるリードスクリューとコイルばねの間に、つば付きのキャップを介在させているので、上述したように、コイルばねとガイド軸の摺動による摩耗を防止できる。
【００６３】
また、図６の従来装置と比べると、本実施の形態のディスク装置は、板ばねをコイルばねとキャップに代えることで軸方向と軸交差方向の押圧を実現しており、簡素な構成で軸方向と軸交差方向の押圧が可能となっている。さらに、本実施の形態では、キャップを設けたことで、従来のガイド軸（リードスクリュー）をそのまま適用することも可能となっている。
【００６４】
なお、上記実施の形態では、本発明がディスクチェンジャ装置に適用されたが、本発明が、チェンジャ機能を持たないディスク装置に適用されてもよいことはもちろんである。
【００６５】
また、上記実施の形態では、ディスクチェンジャ装置が再生および記録機能を備えていたが、再生または記録機能だけが備えられてもよいことはもちろんである。
【００６６】
また、上記実施の形態では、ガイド軸であるリードスクリュー２０が、軸交差方向の一つであるフォーカス方向に押圧されたが、リードスクリュー２０が他の方向に押圧されてもよいことはもちろんである。例えば、リードスクリュー２０がタンジェンシャル方向に押圧されてもよい。また、リードスクリュー２０は、タンジェンシャル方向とフォーカス方向の間の方向に押圧されてもよい。好ましくは、テーパ面５２、５４の位置も、押圧方向に合わせて変更される。
【００６７】
また、上記実施の形態では、弾性部材がコイルばねであったが、他の弾性部材が適用されてもよい。また、軸方向の押圧のための弾性部材が、軸交差方向の押圧のための弾性部材と異なっていてもよい。ただし、上述のコイルばねを用いた構成は、少ない部品で位置精度を向上できるので、より有利であると考えられる。
【００６８】
また、上記の実施の形態では、テーパ面５２、５４が、コイルばね３４の押圧方向に対して線対象であった。しかし、本発明はこれに限定されない。テーパ面５２が押圧方向と成す角が、テーパ面５４が押圧方向と成す角と異なっていてもよい。ただし、上記の線対象の構成は、ガイド軸の安定性の点で有利と考えられる。
【００６９】
また、テーパ面５２、５４は平面でなくてもよい。リードスクリュー２０を支持する点での接線（上記実施の形態ではキャップ３２との接触点での接線）の角度が２つの面で異なっていればよい。
【００７０】
その他、本発明が上記の実施の形態に限定されないことはもちろんであり、当業者は、本発明の範囲内で上記の実施の形態を変形および応用可能である。
【００７１】
【発明の効果】
以上のように、本発明は、光ピックアップのガイド軸を軸交差方向に押圧する構成により、ガイド軸の位置精度を向上し、これにより光ピックアップの位置精度を向上して、光ピックアップの読取性能の向上に寄与できるという、きわめてすぐれた効果を有するディスク装置を提供することができるものである。
【図面の簡単な説明】
【図１】本発明の実施の形態のディスク装置におけるリードスクリューを保持する部分の構成を示す平面図
【図２】本発明の実施の形態のディスク装置におけるリードスクリューを保持する部分の構成を示す側面図
【図３】本発明の実施の形態のディスク再生装置を示す概略的な平面図
【図４】本発明の実施の形態のディスク再生装置を示す概略的な側面図
【図５】本発明の実施の形態のディスク再生装置を示す概略的な正面図
【図６】従来のディスク装置の概略的な平面図
【符号の説明】
１２　光デッキシャーシ
１８　光ピックアップ
２０　リードスクリュー
３０　ブラケット
３２　キャップ
３４　コイルばね
３６　固定板部
３８　支持壁部
４０　開口部
４２　つば部
４４，４６　足部
５０　テーパ部
５２，５４　テーパ面
【図１】
2004145990.tif 000003
【図２】
2004145990.tif 000004
【図３】
2004145990.tif 000005
【図４】
2004145990.tif 000006
【図５】
2004145990.tif 000007
【図６】
2004145990.tif 000008